(57)【要約】【課題】  製造で残った端材を有効に利用し、且つ、廃棄処分時に他の用途に再利用可能な環境にやさしい遊技機用筐体を提供する。【解決手段】  遊技機装置を収納するための遊技機用筐体１００であって、前面が開口した箱形形状に構成された本体部１０と、該本体部１０の前面開口を開閉自在に覆うように該本体部１０に一側方で回動可能に軸支された前扉７とで構成され、少なくとも該本体部１０が、木材の角棒材８２が接着積層されて成るパネル材８により形成されることを特徴とする遊技機用筐体１００とする。【選択図】図１
2007215607.tif 000002
【特許請求の範囲】
【請求項１】
遊技機装置を収納するための遊技機用筐体であって、
前面が開口した箱形形状に構成された本体部と、該本体部の前面開口を開閉自在に覆うように該本体部に一側方で回動可能に軸支された前扉とで構成され、
少なくとも該本体部が、木材の角棒材が接着積層されて成るパネル材により形成されることを特徴とする遊技機用筐体。
【請求項２】
前記角棒材は、複数の小角材の端部を継ぎ合わせて形成された角材であることを特徴とする請求項１に記載の遊技機用筐体。
【請求項３】
前記角棒材は、複数の小角材の端部をフィンガージョイントにより継ぎ合わせて形成された角材であることを特徴とする請求項１又は２に記載の遊技機用筐体。
【請求項４】
前記遊技機用筐体は、パチスロ機に用いられる筐体であることを特徴とする請求項１乃至３のいずれかに記載の遊技機用筐体。
【発明の詳細な説明】
【技術分野】
【０００１】
本発明は、遊技機用筐体に関し、更に詳しくは、廃棄処分時に他の用途に再利用可能な遊技機用筐体に関する。
【背景技術】
【０００２】
パチンコ型スロットマシン（以下、パチスロ機という）等の遊技機は、一般に、前面が開口した箱形の本体部と、その本体部の前面開口部の一側方に回動自在に取り付けられた前扉とから構成され、本体部の内部空間には、複数のリールを備えたリール装置やパチスロ機を電気的に制御するための制御装置、多数枚数のメダルを収容するホッパー等のメダル払出装置などの遊技機装置が格納されている。
【０００３】
このようなパチスロ機やパチンコ機等の遊技機械の筐体には、一般的に、ＭＤＦ（Medium Density Fiberboard）と称される中密度圧縮合板やパーティクルボードなどの合成板、その他積層合板など木材パネルが用いられる。ＭＤＦは、おが粉等のように木材を繊維状に粉砕してから結合剤で熱圧成形したものであり、パーティクルボードは、切削小片化した木材を結合剤を用いて熱圧成形したものである。
【０００４】
このように遊技機筐体に木材パネルを用いたものとして、例えば、木材の廃材、間伐材、藁などの植物材料と結合剤とを混合して圧縮成形した板材を用いるものや（特許文献１参照）、木材と合成樹脂との混合材料により形成した板材を用いたもの（特許文献２参照）、板材の反りを防止するために木質板と中質繊維板（ＭＤＦ）とを積層した板材を用いるもの（特許文献３）等が提案されている。
【特許文献１】特開平７−１１６３１９号公報
【特許文献２】特開２００２−１１９７１７号公報
【特許文献３】特開２０００−００５３８９号公報
【発明の開示】
【発明が解決しようとする課題】
【０００５】
しかしながら、従来技術にあるような木紛などを結合剤と混合して板状にした合成板は、廃棄時に産業廃棄物として処理しなければならず、焼却処分とされる。このような合成板を燃焼する場合、高温を発するため焼却炉を傷めてしまう可能性がある。また、焼却時には合成板作成に使用された結合剤が有害物質として発生する恐れがある。
【０００６】
本発明は、上記問題点に鑑みてなされたものであって、筐体作成時には木材の端材などを有効に利用し、廃棄処分時には他の用途に再利用可能とした、環境にやさしい遊技機用筐体を提供することを課題とする。
【課題を解決するための手段】
【０００７】
本発明は、遊技機装置を収納するための遊技機用筐体であって、前面が開口した箱形形状に構成された本体部と、該本体部の前面開口を開閉自在に覆うように該本体部に一側方で回動可能に軸支された前扉とで構成され、少なくとも該本体部が、木材の角棒材が接着積層されて成るパネル材により形成されることを特徴とする遊技機用筐体に関する。
【０００８】
前記角棒材は、複数の小角材の端部を継ぎ合わせて形成された角材であることが好ましく、小角材同士はフィンガージョイントにより継ぎ合わされることが好ましい。
【０００９】
また、本発明の遊技機用筐体は、パチスロ機の筐体として好適に用いることができる。
【発明の効果】
【００１０】
本発明の遊技機用筐体は、製造で残った木材の端材等を用いて作成できるため、廃材量を減らすことができ、かつ製造コストを削減することができる。また、廃棄時は、筐体を粉砕してチップ状とし堆肥や製紙原料としたり、固形燃料として再利用できる。更に、焼却処分とする場合であっても、高温を発することはないため焼却炉を傷める心配はなく、有害物質を発生することもない。
【発明を実施するための最良の形態】
【００１１】
本発明を実施するための最良の形態は、木材を成形した小角材を複数継ぎ合わせた角棒材を、接着積層して形成したパネル材を用いて、遊技機用筐体を作成することを特徴とする。このように構成された遊技機用筐体は、廃棄時にチップ状として堆肥や製紙原料としたり、分解して固形燃料とするなど、再利用が可能になる。また、一枚板や合成板に比べて強度を有した筐体とすることができる。
【実施例】
【００１２】
以下、本発明の遊技機用筐体の実施形態について図１乃至図４に基づき、詳細に説明する。尚、本発明は下記実施形態になんら制限されるものではない。
図１は、本発明の一実施形態のパチスロ機の筐体の本体部を示す斜視図であり、図２は、図１のパチスロ機の筐体の本体部の構成を示す展開図である。図３は、パネル材の作成方法を示す図である。図４は、本発明の一実施形態のパチスロ機の斜視図である。
【００１３】
本発明の一実施形態のパチスロ機の筐体は、図１に示す前面が開口した箱形の本体部１０と、その本体部１０の前面開口部を開閉自在に覆うように該本体部１０に一側方で回動可能に軸支された前扉７（図４参照）とで構成されている。図１及び図２に示すように、本体部１０は、上面板１、底面板２、左側面板３、右側面板４、及び背面板５とを組み立てて、前面開口の箱形とされる。
【００１４】
本発明の遊技機用筐体を構成する板材は、図３（ａ）〜（ｂ）に示すように、小角材８１を継ぎ合わせて角棒材８２を作成し、この角棒材８２を接着積層してパネル材８としたものを使用する。
【００１５】
本発明において、パネル材８の材料には木材を用い、建築物や家具などを製造した際に残った端材等も有効に利用することができる。端材等を使用した場合、パネル材作成における製造コストを削減することができるとともに、廃材量を減らすことができる。
【００１６】
木材の材質としては、特に限定されないが、材の硬いものを用いることが好ましく、例えば、アカマツ、クロマツ、カラマツ、モミ、エゾマツなどマツ科の木材が挙げられる。これらの木材は一種を単独で用いても良く、二種以上を組み合わせて用いることもできる。
【００１７】
パネル材８を形成する角棒材８２は、図３（ａ）及び図３（ｂ）に示すように、断面が所望の幅と厚さの断面を有する複数の小角材８１を接合して形成する。小角材８１は、上述した如く端材等を成形して用いることができ、該端材は、材の大きな節や割れ目などを取り除き、一定の質として使用する。これにより、作成したパネル材８の強度を均一に保つことができる。
【００１８】
前記小角材８１を接合する方法としては、例えば、フィンガージョイント、スカーフジョイント、パットジョイントなどが挙げられるが、角材に強度を与える目的からフィンガージョイントにより継ぎ合わせることが好ましい。このように小角材８１を継ぎ合わせた角棒材８２は、割れ、ねじれ、曲がりなどがおこらず、更に任意の幅、厚さ、長さの角材とすることができる。
【００１９】
パチスロ機の筐体を作成する場合のパネル材８の寸法としては、例えば、一辺が１２ｍｍ乃至２０ｍｍ程度の所望幅と厚さの断面を有する小角材８１を用いて４メートル程度の角棒材８２を作成し、これを接着積層してパネル材８を作成すれば厚みが１２ｍｍ乃至２０ｍｍ程度の厚板とすることができる。
【００２０】
角棒材８２を接着させる接着剤は、市販の無機質系の接着剤８３を用いることができる。
接着剤８３としては、特に限定はされないが、液状の接着剤を用いることが好ましく、例えば、水性高分子イソシアネート系接着剤、レゾルシノール樹脂系接着剤、ユリア樹脂系接着剤、フェノール樹脂系接着剤などの木質材料接着用に用いられる接着剤を使用すればよい。特に、非ホルムアルデヒド系接着剤である水性高分子イソシアネート系接着剤を用いることが好ましい。
【００２１】
以下、パネル材８の作成方法について説明する。
図３（ａ）及び図３（ｂ）に示すように、まず、所望幅と所望厚さの断面を有する小角材８１の端部に凹状切削部８４ａあるいは凸状切削部８４ｂを形成し、フィンガージョイントにより継ぎ合わせて、所望長さの角棒材８２を形成する。次に、角棒材８２の表面を研磨して滑らかにする。
【００２２】
研磨した角棒材８２の被接着面に接着剤８３を塗布し、その上に他の角棒材８２を重ね合わせる。重ね合わせた角棒材８２の対面に接着剤８３の塗布、角棒材８２の重ね合わせを繰り返す（図３（ｃ）参照）。角棒材８２は、図３（ｃ）に示すように隣り合う角棒材８２の継合部８４をずらして重ねることが好ましい。これは、パネル材８の強度を均一にしたり、パネル材８の表面に美観を与える効果がある。
【００２３】
その後、重ね合わせた方向に押圧し、圧締する。圧締後に端部をそろえ、表面を研磨し、パネル材８とする。
【００２４】
また、例えば、フィンガージョイントで小角材８１を継ぎ合わせ角棒材８２を作成した場合、その角棒材８２の重ね合わせは、図３（ｃ）に示すように、継合部８４のフィンガー形状がパネル面に現れるように角棒材８２を積層して接着するのが好ましいが、角棒材８２の継合部８４のフィンガー形状が現れる面に接着剤８３を塗布して角棒材８２を積層接着しても良い。また、一枚のパネル面にフィンガー形状が現れる角棒材８２と現れない角棒材８２が混合するように積層接着しても良い。
【００２５】
本発明において、小角材８１の凹状切削部８４ａと凸状切削部８４ｂにも接着剤８３を塗布し、継ぎ合わせて角棒材８２を作成してもよい。小角材８１を接着剤８３で継ぎ合わせることにより、継合部８４がより強固に接着し、パネル材８に強度を与えることができる。
【００２６】
次に、本発明の遊技機用筐体１００の構成について説明する。
本発明の遊技機用筐体１００は、図１に示すような前面が開口した箱形形状に構成された本体部１０と、図４に示すように該本体部１０の前面開口部を開閉自在に覆うように該本体部に一側方で回動可能に軸支された前扉７とで構成されている。遊技機用筐体１００は、略直方体形状をしており、立設した状態で、底面が上面より奥行きのある構成である。
【００２７】
本体部１０は、図１及び図２に示すように、上面板１、底面板２、左側面板３、右側面板４、及び背面板５からなり、前面が開口の箱形とされる。
上面板１には、遊技機の手前側の端部に前扉７の上部内部に配置される不正防止の保護部材を取り付けるための取付部１ａが設けられている。
【００２８】
底面板２には、略中央部にメダル払出装置を取り付けるための取付部２ａと該メダル払出装置を固定するための固定部材を取り付けるための取付部２ｂが設けられ、底面板２の一端には、メダル払出装置から放出されたメダルをメダル収容箱へ流下させるための貫通穴２ｃが設けられる。
【００２９】
左側面板３には、前扉７を取り付けるための蝶番を取り付けるための取付部３ａや、リール装置や制御装置を固定するための複数の取付部３ｂが設けられ、左側面板３の略中央部には、遊技機用筐体１００を持ち運ぶ際に手を差し入れて該左側面板３を把持するための貫通穴３ｃや、該貫通穴３ｃの左右両側に遊技機用筐体１００を持ち運ぶための把手を留めるための取付部３ｄが設けられている。右側面板４には、取り付けられた前扉７を閉じた状態で固定する枠材を取り付けるための取付部４ａや、基板取付用の金具を留めるための金具取付部４ｂが設けられ、略中央部には、左側面板３と同様に遊技機用筐体１００を持ち運ぶ際に手を差し入れて該右側面板４を把持するための貫通穴４ｃ、及び把手を留めるための取付部４ｄが設けられている。
【００３０】
背面板５には、放熱用の貫通穴５ａと、制御装置等を取り付けるための取付部５ｂが設けられている。ほぼ中央部には、メダルを供給するための方形状の貫通穴５ｃが設けられ、貫通穴５ｃの横にはメダルの補給装置を取り付けるための貫通穴５ｄが設けられている。また、下部の一端には電源コードや信号線を引き出すための貫通穴５ｅが設けられている。
【００３１】
上記した上面板１、底面板２、左側面板３、右側面板４、及び背面板５を図１に示すように組み立て、前面開口の本体部１０とする。尚、各部材は任意の接着剤を用いて接着組み立てすれば良く、接着剤としては特に限定されないが、例えば、市販の不燃性接着剤、例えばホットメルト接着剤を用いることができる。
【００３２】
また、本発明において、本体部１０を組み立てる際に各部材の接合部分に、図１に示すように、サン木６を取り付けても良い。サン木６は、筐体の補強を目的として取り付けられ、上面板１と底面板２が接合する左側面板３、右側面板４、及び背面板５の接合部分にそれぞれ取り付けるのが良い。
【００３３】
上記した構成の本体部１０の前面開口部を前扉７で開閉自在に覆い、遊技機用筐体１００とする。前扉７は、ガラスや金属など、任意の材質を成形して使用しても良いが、本体部１０を構成するパネル材と同一のパネル材８を使用することもできる。
【００３４】
上記した如く、本発明の遊技機用筐体１００は、遊技機としての使用後の廃棄時において容易に分解、粉砕できるため、チップ状として堆肥や製紙原料としたり、角材の状態で固形燃料としたりすることができる。また、焼却処分とする場合であっても、高温を発することはないので焼却炉をいためる心配はなく、有害物質も発生することはない。
【００３５】
更に、端材を使用してパネル材を作成した場合は、作成時における製造コストを削減できるとともに、廃材量を減らすことができるので、環境保護に有効である。
【００３６】
尚、本発明は、遊技機としてはパチスロ機に限定するものではなく、パチンコ機やスロットマシンなど、筐体内部に電子部品を収納する全ての遊技機に対して好適に対応できる。
【図面の簡単な説明】
【００３７】
【図１】本発明の一実施形態のパチスロ機の筐体の本体部を示す斜視図である。
【図２】図１のパチスロ機の筐体の本体部の構成を示す展開図である。
【図３】パネル材の作成方法を示し、（ａ）及び（ｂ）は、複数の小角材を継ぎ合わせて角棒材を形成する工程を示す図であり、（ｃ）は角棒材を接着積層する工程を示す図である。
【図４】本発明の一実施形態のパチスロ機の斜視図である。
【符号の説明】
【００３８】
１        上面板
２        底面板
３        左側面板
４        右側面板
５        背面板
６        サン木
７        前扉
８        パネル材
１０      本体部
１００    遊技機用筐体
８１      小角材
８２      角棒材
８３      接着剤
８４      継合部
８４ａ    凹状切削部
８４ｂ    凸状切削部
１ａ、２ａ、２ｂ、３ａ、３ｂ、３ｄ、４ａ、４ｄ、５ｂ      取付部
４ｂ      金具取付部
２ｃ、３ｃ、４ｃ、５ａ、５ｃ、５ｄ、５ｅ      貫通穴
【図１】
2007215607.tif 000003
【図２】
2007215607.tif 000004
【図３】
2007215607.tif 000005
【図４】
2007215607.tif 000006